(57)【要約】【課題】建物の屋根や、人工地盤などの傾斜面を緑化する場合、植栽部と傾斜面との間に雨水などが流れ込むことにより植栽部に滑り面が生じることを防止し、また、地震などの振動によっても基盤部が滑り落ちることを防止でき、設置のための施工性もよい緑化構造および緑化方法を得る。【解決手段】建築物の屋根などの傾斜面１に形成する緑化構造において、傾斜面１に一方を固定し傾斜にそって下垂させたチェーンなどの支持材６と、この支持材６で傾斜面１に保持される排水マット４および透水シート５からなる基盤部２と、前記透水シート５に敷設される植栽部１２とで構成する。【選択図】        図１
2008118888.tif 000002
【特許請求の範囲】
【請求項１】
建築物の屋根などの傾斜面に形成する緑化構造において、傾斜面に一方を固定し傾斜にそって下垂させたチェーンなどの支持材と、この支持材で傾斜面に保持される排水層および透水層からなる基盤部と、前記透水層に敷設される植栽部とで構成することを特徴とする緑化構造。
【請求項２】
前記支持材、基盤部または傾斜面に植栽部の滑り防止部材を設ける請求項１記載の緑化構造。
【請求項３】
建築物の屋根などの傾斜面に施工する緑化方法において、前記傾斜面にチェーンなどの支持材の一方を固定し、前記傾斜面の上に排水層および透水層からなる基盤部を設置し、傾斜にそって下垂させた前記支持材の他方を前記基盤部に固定し、前記透水層の上に植栽部を敷設することを特徴とする緑化方法。
【請求項４】
建築物の屋根などの傾斜面に施工する緑化方法において、排水層および透水層からなる基盤部を前記傾斜面の上に設置し、一方が基盤部に固定されるチェーンなどの支持材の他方を傾斜面に固定して前記基盤部を保持し、前記透水層の上に植栽部を敷設することを特徴とする緑化方法。
【請求項５】
建築物の屋根などの傾斜面に施工する緑化方法において、排水層および透水層からなる基盤部を前記傾斜面の上に設置し、前記透水層の上に植栽部を敷設し、一方が基盤部に固定されるチェーンなどの支持材の他方を傾斜面に固定して前記基盤部を保持することを特徴とする緑化方法。
【発明の詳細な説明】
【技術分野】
【０００１】
本発明は、建築物の屋根などの傾斜面を緑化する緑化構造および緑化方法に関するものである。
【背景技術】
【０００２】
建物の緑化を図るために、建物の屋根などの傾斜面に緑化基盤を設置しているが、雨水や地震に対しても土壌を安定して設置しておけるよう、対策を講じる必要がある。
【０００３】
その方法の第１として、屋根の表面に建物躯体のコンクリートと一体となった土壌流出防止のための突起物を設ける方法、第２の方法として、ステンレス製のパンチング枠を屋根の上に設置し、この枠内に土壌を充填する方法、第３の方法として、ハニカムフレームなどの法枠材を屋根の上に設置し、この中に耐根シート、排水マット、透水シート、土壌を充填する方法などがある。
【０００４】
さらに、係止部材を有する遮水シートを屋根の上に設置し、この遮水シートの上に厚層部材を吹付けて前記係止部材に絡ませ定着性のよい植生基盤を形成する方法もある（例えば特許文献１参照）。
【特許文献１】特開平１１−２４３７８１号公報
【発明の開示】
【発明が解決しようとする課題】
【０００５】
前記第１の方法は、屋根面に突起物を直接設置するものであり、そのための施工手間を要し、屋根面に形成する防水層はこの突起物を包み込むように施工しなければならないため、コストアップとなるだけでなく、突起物の存在により屋根面の排水がスムーズに行われにくくなるおそれがある。
【０００６】
第２の方法は、土壌は、屋根面に形成されたアスファルト防水層の上に直接置いてあるだけとなるから、雨水が土壌の底面とアスファルト防水層の間に流れ込むことで摩擦力が低下し、滑り面が生じて土壌を屋根面に安定状態で設置することが困難である。
【０００７】
第３の方法は、耐根シート、排水マット、透水シート、土壌を屋根面に直接老いてるだけで固定されていないから、地震時などに土壌基盤が滑り落ちるおそれがあり、十分な安定性が確保できない。
【０００８】
特開平１１−２４３７８１号公報に記載の発明は、遮水シートに係止部材を設けるためには、別途用意した係止部材を遮水シートの上に接着または植設する必要があり、手間を要し、また、遮水シートの設置も接着剤などにより屋根板に固定するものであるから、施工性がよくないだけでなく、接着力の低下により安定性を欠くおそれもある。
【０００９】
本発明は前記従来例の不都合を解消するものとして、建物の屋根や、人工地盤などの傾斜面を緑化する場合、土壌と傾斜面との間に雨水などが流れ込むことにより土壌に滑り面が生じることを防止し、また、地震などの振動によっても緑化基盤が滑り落ちることを防止でき、設置のための施工性もよい緑化構造および緑化方法を提供するものである。
【課題を解決するための手段】
【００１０】
請求項１記載の発明は、建築物の屋根などの傾斜面に形成する緑化構造において、傾斜面に一方を固定し傾斜にそって下垂させたチェーンなどの支持材と、この支持材で傾斜面に保持される排水層および透水層からなる基盤部と、前記透水層に敷設される植栽部とで構成することを要旨とするものである。
【００１１】
請求項２記載の発明は、前記支持材、基盤部または傾斜面に植栽部の滑り防止部材を設けることを要旨とするものである。
【００１２】
請求項３記載の発明は、建築物の屋根などの傾斜面に施工する緑化方法において、前記傾斜面の最上部にチェーンなどの支持材の一方を固定し、前記傾斜面の上に排水層および透水層からなる基盤部を設置し、傾斜にそって下垂させた前記支持材の他方を前記基盤部に固定し、前記透水層の上に植栽部を敷設することを要旨とするものである。
【００１３】
請求項４記載の発明は、建築物の屋根などの傾斜面に施工する緑化方法において、排水層および透水層からなる基盤部を前記傾斜面の上に設置し、一方が基盤部に固定されるチェーンなどの支持材の他方を傾斜面に固定して前記基盤部を保持し、前記透水層の上に植栽部を敷設することを要旨とするものである。
【００１４】
請求項５記載の発明は,建築物の屋根などの傾斜面に施工する緑化方法において、排水層および透水層からなる基盤部を前記傾斜面の上に設置し、前記透水層の上に植栽部を敷設し、一方が基盤部に固定されるチェーンなどの支持材の他方を傾斜面に固定して前記基盤部を保持することを特徴とする緑化方法。
【００１５】
請求項１、請求項３、請求項４、請求項５記載の本発明によれば、基盤部を屋根などの傾斜面に一方を固定したチェーンなどの支持材で吊下げて固定するから、地震などの振動で緑化基盤材料が滑り落ちることがない。
【００１６】
また、傾斜面と植栽部との間に排水層を形成したから、植栽部と屋根面との間に流入した雨水や散水を処理でき、雨水などによって摩擦力が低下し滑り面が生じることを防止でき、基盤部を安定状態で傾斜面に設置できる。
【００１７】
さらに排水層は前記のようにチェーンなどの支持材で傾斜面に吊下げられるから、傾斜面に形成したアスファルト舗装や遮水シートなどの防水層を損傷するおそれもない。
【００１８】
請求項２記載の本発明によれば、支持材、基盤部または傾斜面に植栽部の滑り防止部材を設けることにより、粒状であって支持材に直接固定できない植栽部の土壌などに対しても、滑り落ちることを防止できる。
【発明の効果】
【００１９】
以上述べたように本発明の緑化構造および緑化方法は、建物の屋根や、人工地盤などの傾斜面を緑化する場合、植栽部と傾斜面との間に排水層を設けたから、植栽部と傾斜面との間に雨水などが流れ込むことにより植栽部に滑り面が生じることを防止し、また、基盤部を支持材で吊下げて傾斜面に固定することで、地震などの振動によっても基盤部が滑り落ちることを防止できて、安定した状態に基盤部を設置でき、さらに、基盤部を支持材で吊下げるだけでよいから設置のための施工性もよいものである。
【発明を実施するための最良の形態】
【００２０】
以下、図面について本発明の実施形態を詳細に説明する。図１は本発明の緑化構造および緑化方法の実施形態を示す一部切欠いた斜視図で、建築物の屋根などの傾斜面１を緑化する場合を例にとって説明する。この屋根などの傾斜面１には図示は省略するが上面に防水層が形成されている。
【００２１】
図中２は、傾斜面１の上に設置される基盤部を示し、排水層としての排水マット４と、透水層としての透水シート５とで構成されている。基盤部２は防根層としての防根シート３を介して傾斜面１の上に設置されている。傾斜面１に高い防水性が要求されない場合は防根シート３を省略してもよい。この基盤部２は、傾斜面１の最上部にアンカー１１で一端を固定したチェーンなどの支持材６により吊下げられて所定位置に保持される。なお、図示の例では、支持材６は透水シート５の上に、基盤部２の下端にまで達するような長さで下垂させているが、これに限定されるものではない。例えば、排水マット４の表面や裏面、あるいは端縁部に支持材６を下垂し、この支持材６に基盤部２を固定してもよい。また支持材６は、基盤部２が傾斜面１の所定位置に安定して保持されるのであるならば、基盤部２（緑化を施す部分）の下端にまで達するような長さでなくてもよい。
【００２２】
図２はアンカー１１を示し、支持材６の一方は固定冶具（アンカー金物）１１ａに連結され、この固定冶具１１ａはアンカー１１によって傾斜面１に固定されている。なお、傾斜面１に立ち上がり部がある場合は、ここに支持材６の一方を直接固定してもよい。
【００２３】
そして、基盤部２の上に土壌７および植物８から構成される植栽部１２が設けられる。透水シート（透水層）５に敷設される植栽部１２の一例としては、軽量人工培養土（商品名ケイソイル等）を土壌７として敷設し苗などの植物８を植え付けたものや、芝マットのような緑化製品を植物８として載置したもの、または土壌７や植物（種子）８、肥料、保水材等を配合した材料を吹き付けたものである。
【００２４】
図中９は、支持材６に止め具１０によって取り付けられ、植栽部１２の滑り止めのための部材であり、図示の例では植栽部１２の滑り防止部材９をネット状としている。ネットの目の大きさは、土壌７や枯死した植物８は流出しないが余剰水は通過できるような大きさに設定する。
【００２５】
次に、建築物の屋根などの傾斜面１を緑化する方法を説明する。緑化方法の第１実施形態は、傾斜面１において緑化基盤を構築する部分の最上部に、ワイヤーやチェーンなどの支持材６の一端をアンカー１１で固定し、支持材６の他端を傾斜にそって傾斜面１に下垂可能としておく。
【００２６】
この支持材６は複数本を所定間隔で下垂し、長さは傾斜面１において緑化を施す部分の下端にまで達するものに設定する。
【００２７】
傾斜面１の上面に防根シート３を敷設する。これは建築物の躯体保護のためである。
【００２８】
次に雨水や散水の排水処理のために、防根シート３の上に排水マット４を敷設する。
【００２９】
さらに、排水マット４の中に土壌が入り込んで目詰まりすることを防止するために、排水マット４の上に透水シート５を敷設する。
【００３０】
このようにして防根シート３を介して、排水マット４および透水シート５からなる基盤部２が敷設されたならば、この上、すなわち透水シート５の上に、基盤部２の下端にまで達するような長さに予め設定してある支持材６を下垂し、この支持材６に基盤部２を固定する。
【００３１】
これにより、傾斜面１の高位置（頂上側）から支持材６により基盤部２が吊下げられた状態で固定されることになる。
【００３２】
ついで透水シート５の上に土壌７および植物８から構成される植栽部１２を敷設する。この場合、土壌７は粒状であるため、支持材６に固定できないが、支持材６に止め具１０によってネット状の滑り防止部材９を取り付けることで、土壌７の滑り落ちを防止する。ネットの目の大きさは、土壌７や枯死した植物８は流出しないが余剰水は通過できるような大きさに設定しておく。
【００３３】
なお、傾斜面１の傾斜角度が小さい場合や、土壌７を緑化用糊などの資材で固めている場合は、必ずしも滑り防止部材９を使用する必要はない。
【００３４】
最後に必要に応じて植栽部１２に灌水する。
【００３５】
以上のようにして傾斜面１に構築された緑化構造は、傾斜面１の上に全面に排水層となる排水マット４が敷設されているから、土壌７の底面と傾斜面１の間に流れ込んだ雨水などを排水処理でき、傾斜面１での滑りの要因となる余剰水を適切に処理でき、滑り面の発生を防止できる。
【００３６】
また、基盤部２は、支持材６で傾斜面１の高位置（頂上側）から吊下げたから、傾斜面１に直接固定せずにすみ、傾斜面１の防水層を損傷することもないし、地震発生時に振動によって傾斜面１から基盤部２が滑り落ちるおそれもない。
【００３７】
さらに、基盤部２は柔軟性を有する資材で構成されているから、傾斜面１が勾配一定の平面ではなく、途中で勾配が変化する場合や、曲面の場合などにも柔軟に対応できる。
【００３８】
前記した緑化方法は、第１実施形態では傾斜面１に対して、最初の工程で支持材６の一方を下垂させ、次いで基盤部２を設置し、これを下垂させた支持材６の他方で固定し、最後に植栽部１２を敷設したが、施工順序はこれに限定されるものではなく、第２実施形態として、最初に基盤部２を傾斜面１の上に設置し、次に支持材６を傾斜面１に固定してこの支持材６で基盤部２を保持し、最後に植栽部１２を敷設するようにしてもよい。
【００３９】
また、第３実施形態として、第２実施形態のように最初に基盤部２を傾斜面１の上に設置した後、さらにこの上に植栽部１２を敷設し、その後で支持材６で基盤部２を保持するようにすることも可能である。なお、第２および第３実施形態において、基盤部２には予め工場などで支持材６の他方を固定しておき、この支持材６付基盤部２を施工現場に搬入して傾斜面１の上に設置するようにしてもよい。
【図面の簡単な説明】
【００４０】
【図１】本発明の緑化構造および緑化方法の実施形態を示す一部切欠いた斜視図である。
【図２】アンカーの説明図である。
【符号の説明】
【００４１】
１  傾斜面                      ２  基盤部
３  防根シート                  ４  排水マット
５  透水シート                  ６  支持材
７  土壌                        ８  植物
９  滑り防止部材                １０  止め具
１１  アンカー                  １１ａ  固定冶具
１２  植栽部
【図１】
2008118888.tif 000003
【図２】
2008118888.tif 000004